(57)【要約】【課題】ユーザに追加のコスト負担を強いることなく、ユーザが音楽とその音楽に合った映像とを同時に楽しむことができる。【解決手段】サーバ２００と、サーバ２００から送信される映像を表示する情報端末１００ａ〜１００ｎとを有する映像配信システムであって、情報端末１００ａ〜１００ｎは、音楽キーワードを含む音楽データを記憶しており、音楽の選択を受けつけると、その音楽の音楽データから音楽キーワードを取得してサーバ２００へ送信する。サーバ２００は、映像キーワードを含む映像データを記憶しており、音楽キーワードを受信すると、受信した音楽キーワードと同じ映像キーワードを含む映像データを音楽キーワードの送信元へ送信する。情報端末１００ａ〜１００ｎは、映像データを受信すると、受信した映像データに基づく映像を表示させるとともに、選択された音楽を出力する。【選択図】図１
2010034771.tif 000002
【特許請求の範囲】
【請求項１】
サーバと、サーバから送信される映像を表示する情報端末とを有する映像配信システムであって、
前記情報端末は、
音楽を一意に識別できる音楽識別情報と、前記音楽の特徴を示す音楽キーワードとを含む音楽データを記憶する第１の記憶部と、
前記音楽データに基づく音楽を出力する音楽出力部と、
前記映像の特徴を示す映像キーワードを含む映像データに基づく映像を表示する表示部と、
前記音楽識別情報の選択を受け付ける音楽選択手段と、
前記音楽選択手段にて受け付けられた音楽識別情報を含む前記第１の記憶部に記憶されている前記音楽データから、前記音楽キーワードを取得して前記サーバへ送信し、前記サーバから送信された映像データを受信すると、該受信した映像データに基づく映像を前記表示部に表示させるとともに、前記受け付けられた音楽識別情報を含む音楽データに基づく音楽を前記音楽出力部に出力させる第１の制御部とを有し、
前記サーバは、
前記映像データを記憶する第２の記憶部と、
前記第１の制御部から送信された音楽キーワードを受信すると、該受信した音楽キーワードと同じ映像キーワードを含む前記映像データを前記第２の記憶部から検索し、前記検索された映像データを前記第１の制御部へ送信する第２の制御部とを有する映像配信システム。
【請求項２】
請求項１に記載の映像配信システムにおいて、
前記第２の制御部は、前記受信した音楽キーワードと同じ映像キーワードを含む前記映像データが検索されなかった場合、前記受信した音楽キーワードに類似する映像キーワードを含む前記映像データを検索する映像配信システム。
【請求項３】
請求項１または請求項２に記載の映像配信システムにおいて、
前記情報端末は、自身の位置を示す位置情報を取得するための位置情報取得部を有し、
前記映像データは、該映像データに基づく映像を見るのに適した場所を示す最適場所情報を有し、
前記第１の制御部は、前記位置情報取得部が取得した位置情報を前記第２の制御部へ送信し、
前記第２の制御部は、前記第１の制御部から送信された位置情報に基づき、場所を示す情報として予め設定されている複数の場所情報の中から１つの場所情報を選択し、該選択された場所情報と同じ最適場所情報を含む前記映像データを前記第２の記憶部から検索する映像配信システム。
【請求項４】
請求項１乃至３のいずれか１項に記載の映像配信システムにおいて、
前記映像データは、該映像データに基づく映像を見るのに適した時間を示す最適時間帯情報を有し、
前記第１の制御部は、時刻を示す時刻情報を前記第２の制御部へ送信し、
前記第２の制御部は、さらに、前記第１の制御部から送信された時刻情報に基づき、時間帯を示す情報として予め設定されている複数の時間帯情報のうち１つの時間帯情報を選択し、該選択された時間帯情報と同じ最適時間帯情報を含む前記映像データを前記第２の記憶部から検索する映像配信システム。
【請求項５】
請求項１乃至４のいずれか１項に記載の映像配信システムにおいて、
前記第２の制御部は、前記第２の記憶部から複数の映像データが検索された場合、該検索された複数の映像データから任意の１つの映像データを選択し、該選択された映像データを前記第１の制御部へ送信する映像配信システム。
【請求項６】
請求項１乃至４のいずれか１項に記載の映像配信システムにおいて、
前記映像データは、前記映像を一意に識別できる映像識別情報を有し、
前記第２の制御部は、前記第２の記憶部から複数の映像データが検索された場合、該検索された複数の映像データを前記第１の制御部へ送信し、
前記情報端末は、前記映像識別情報の選択を受け付ける映像選択手段を有し、
前記第１の制御部は、前記第２の制御部から送信された前記複数の映像データを受信すると、該複数の映像データに基づく映像及び映像識別情報を前記表示部に表示させ、前記映像選択手段にて受け付けられた映像識別情報を含む映像データに基づく映像を前記表示部に表示させるとともに、前記受け付けられた音楽識別情報を含む音楽データに基づく音楽を前記音楽出力部に出力させる映像配信システム。
【請求項７】
サーバから送信される映像を表示する情報端末であって、
音楽を一意に識別できる音楽識別情報と、前記音楽の特徴を示す音楽キーワードとを含む音楽データを記憶する記憶部と、
前記音楽データに基づく音楽を出力する音楽出力部と、
前記映像の特徴を示す映像キーワードを含む映像データに基づく映像を表示する表示部と、
前記音楽識別情報の選択を受け付ける音楽選択手段と、
前記音楽選択手段にて受け付けられた音楽識別情報を含む前記記憶部に記憶されている前記音楽データから前記音楽キーワードを取得して前記サーバへ送信し、前記サーバから送信された映像データを受信すると、該受信した映像データに基づく映像を前記表示部に表示させるとともに、前記受け付けられた音楽識別情報を含む音楽データに基づく音楽を前記音楽出力部に出力させる制御部とを有する情報端末。
【請求項８】
請求項７記載の情報端末において、
前記映像識別情報の選択を受け付ける映像選択手段を有し、
前記映像データは、前記映像を一意に識別できる映像識別情報を有し、
前記制御部は、前記サーバから送信された複数の映像データを受信すると、該複数の映像データに基づく映像及び映像識別情報を前記表示部に表示させ、前記映像選択手段にて受け付けられた映像識別情報を含む映像データに基づく映像を前記表示部に表示させるとともに、前記受け付けられた音楽識別情報を含む音楽データに基づく音楽を前記音楽出力部に出力させる情報端末。
【請求項９】
音楽の音楽データを記憶している情報端末に表示させる映像を有するサーバであって、
前記映像の特徴を示す映像キーワードを含む映像データを記憶する記憶部と、
前記情報端末から送信された前記音楽の特徴を示す音楽キーワードを受信すると、該受信した音楽キーワードと同じ映像キーワードを含む前記映像データを前記記憶部から検索し、前記検索された映像データを前記情報端末へ送信する制御部とを有するサーバ。
【請求項１０】
請求項９に記載のサーバにおいて、
前記制御部は、前記受信した音楽キーワードと同じ映像キーワードを含む前記映像データが検索されなかった場合、前記受信した音楽キーワードに類似する映像キーワードを含む前記映像データを検索するサーバ。
【請求項１１】
請求項９または請求項１０に記載のサーバにおいて、
前記映像データは、該映像データに基づく映像を見るのに適した場所を示す最適場所情報を有し、
前記制御部は、前記情報端末から送信された該情報端末の位置を示す位置情報に基づき、場所を示す情報として予め設定されている複数の場所情報の中から１つの場所情報を選択し、該選択された場所情報と同じ最適場所情報を含む前記映像データを前記記憶部から検索するサーバ。
【請求項１２】
請求項９乃至１１のいずれか１項に記載のサーバにおいて、
前記映像データは、該映像データに基づく映像を見るのに適した時間を示す最適時間帯情報を有し、
前記制御部は、さらに、前記情報端末から送信された時刻を示す時刻情報に基づき、時間帯を示す情報として予め設定されている複数の時間帯情報のうち１つの時間帯情報を選択し、該選択された時間帯情報と同じ最適時間帯情報を含む前記映像データを前記記憶部から検索するサーバ。
【請求項１３】
音楽を一意に識別できる音楽識別情報と、前記音楽の特徴を示す音楽キーワードとを含む音楽データを記憶する第１の記憶部と、前記音楽データに基づく音楽を出力する音楽出力部と、映像の特徴を示す映像キーワードを含む映像データに基づく映像を表示する表示部とを具備する情報端末と、前記映像データを記憶する第２の記憶部を具備するサーバとを有する映像配信システムにおける映像配信方法であって、
前記音楽識別情報の選択を受け付ける処理と、
受け付けられた音楽識別情報を含む前記第１の記憶部に記憶されている前記音楽データから前記音楽キーワードを取得して前記サーバへ送信する処理と、
前記送信された音楽キーワードを受信すると、該受信した音楽キーワードと同じ映像キーワードを含む前記映像データを前記第２の記憶部から検索する処理と、
前記検索された映像データを前記情報端末へ送信する処理と、
前記送信された映像データを受信すると、該受信した映像データに基づく映像を前記表示部に表示させるとともに、前記受け付けられた音楽識別情報を含む音楽データに基づく音楽を前記音楽出力部に出力させる処理とを有する映像配信方法。
【請求項１４】
請求項１３に記載の映像配信方法において、
前記受信した音楽キーワードと同じ映像キーワードを含む前記映像データが検索されなかった場合、前記受信した音楽キーワードに類似する映像キーワードを含む前記映像データを検索する処理を有する映像配信方法。
【請求項１５】
請求項１３または請求項１４に記載の映像配信方法において、
前記映像データは、該映像データに基づく映像を見るのに適した場所を示す最適場所情報を有し、
自身の位置を示す位置情報を取得する処理と、
前記位置情報を前記サーバへ送信する処理と、
前記送信された位置情報に基づき、場所を示す情報として予め設定されている複数の場所情報の中から１つの場所情報を選択する処理と、
前記選択された場所情報と同じ最適場所情報を含む前記映像データを前記第２の記憶部から検索する処理とを有する映像配信方法。
【請求項１６】
請求項１３乃至１５のいずれか１項記載の映像配信方法において、
前記映像データは、該映像データに基づく映像を見るのに適した時間を示す最適時間帯情報を有し、
時刻を示す時刻情報を前記サーバへ送信する処理と、
さらに、前記送信された時刻情報に基づき、時間帯を示す情報として予め設定されている複数の時間帯情報のうち１つの時間帯情報を選択する処理と、
前記選択された時間帯情報と同じ最適時間帯情報を含む前記映像データを前記第２の記憶部から検索する映像配信方法。
【請求項１７】
請求項１３乃至１６のいずれか１項に記載の映像配信方法において、
前記第２の記憶部から複数の映像データが検索された場合、該検索された複数の映像データから任意の１つの映像データを選択し、該選択された映像データを前記情報端末へ送信する処理を有する映像配信方法。
【請求項１８】
請求項１３乃至１７のいずれか１項に記載の映像配信方法において、
前記映像データは、前記映像を一意に識別できる映像識別情報を有し、
前記第２の記憶部から複数の映像データから検索された場合、該検索された複数の映像データを前記情報端末へ送信する処理と、
前記複数の映像データに基づく映像及び映像識別情報を前記表示部に表示させる処理と、
前記映像識別情報の選択を受け付ける処理と、
受け付けられた映像識別情報を含む映像データに基づく映像を前記表示部に表示させるとともに、前記受け付けられた音楽識別情報を含む音楽データに基づく音楽を前記音楽出力部に出力させる処理とを有する映像配信方法。
【請求項１９】
音楽を一意に識別できる音楽識別情報と、前記音楽の特徴を示す音楽キーワードとを含む音楽データを記憶する記憶部と、前記音楽データに基づく音楽を出力する音楽出力部と、映像の特徴を示す映像キーワードを含む映像データに基づく映像を表示する表示部とを有し、サーバから送信される映像を表示する情報端末に、
前記音楽識別情報の選択を受け付ける機能と、
受け付けられた音楽識別情報を含む前記記憶部に記憶されている前記音楽データから前記音楽キーワードを取得して前記サーバへ送信する機能と、
前記サーバから送信された映像データを受信すると、該受信した映像データに基づく映像を前記表示部に表示させるとともに、前記受け付けられた音楽識別情報を含む音楽データに基づく音楽を前記音楽出力部に出力させる機能とを実現させるためのプログラム。
【請求項２０】
請求項１９に記載のプログラムにおいて、
前記映像データは、前記映像を一意に識別できる映像識別情報を有し、
前記サーバから送信された複数の映像データを受信すると、該複数の映像データに基づく映像及び映像識別情報を前記表示部に表示させる機能と、
前記映像識別情報の選択を受け付ける機能と、
受け付けられた映像識別情報を含む映像データに基づく映像を前記表示部に表示させるとともに、前記受け付けられた音楽識別情報を含む音楽データに基づく音楽を前記音楽出力部に出力させる機能とを実現させるためのプログラム。
【請求項２１】
音楽の音楽データを記憶している情報端末に表示させる映像の特徴を示す映像キーワードを含む映像データを記憶する記憶部を有するサーバに、
前記情報端末から送信された前記音楽の特徴を示す音楽キーワードを受信すると、該受信した音楽キーワードと同じ映像キーワードを含む前記映像データを記憶部から検索し、前記検索された映像データを前記情報端末へ送信する機能を実現させるためのプログラム。
【請求項２２】
請求項２１に記載のプログラムにおいて、
前記受信した音楽キーワードと同じ映像キーワードを含む前記映像データが検索されなかった場合、前記受信した音楽キーワードに類似する映像キーワードを含む前記映像データを検索する機能を実現させるためのプログラム。
【請求項２３】
請求項２１または請求項２２に記載のプログラムにおいて、
前記映像データは、該映像データに基づく映像を見るのに適した場所を示す最適場所情報を有し、
前記情報端末から送信された該情報端末の位置を示す位置情報に基づき、場所を示す情報として予め設定されている複数の場所情報の中から１つの場所情報を選択する機能と、
前記選択された場所情報と同じ最適場所情報を含む前記映像データを前記記憶部から検索する機能とを実現させるためのプログラム。
【請求項２４】
請求項２１乃至２３のいずれか１項に記載のプログラムにおいて、
前記映像データは、該映像データに基づく映像を見るのに適した時間を示す最適時間帯情報を有し、
前記情報端末から送信された時刻を示す時刻情報に基づき、時間帯を示す情報として予め設定されている複数の時間帯情報のうち１つの時間帯情報を選択する機能と、
さらに、前記選択された時間帯情報と同じ最適時間帯情報を含む前記映像データを前記記憶部から検索する機能とを実現させるためのプログラム。
【発明の詳細な説明】
【技術分野】
【０００１】
本発明は、サーバからダウンロードした映像を情報端末で表示する映像配信システム、情報端末、サーバ、映像配信方法及びプログラムに関する。
【背景技術】
【０００２】
近年、多くの音楽データを蓄積しているインターネット上のサーバ等から、パーソナルコンピュータや携帯電話等の情報端末に音楽データをダウンロードし、そのダウンロードした音楽データに基づく音楽を聴くユーザが増えてきている。
【０００３】
インターネット上のサーバ等から情報端末に音楽データをダウンロードする場合、多くのユーザは、音楽データだけをダウンロードするため、音楽データをダウンロードする情報端末に表示画面があっても、その表示画面には特に何も表示されず、音楽を聴くだけであることが多い。
【０００４】
一方、プロモーションビデオのように、音楽と映像とを一括してインターネットからダウンロードする場合もあるが、これは、元々音楽と映像とが一体となっているものであり、ユーザが映像を選択できる余地はなかった。従って、インターネットを利用するユーザは、音楽にその音楽と合った映像を組み合わせることにより、音楽と同時に映像を楽しむということができなかった。
【０００５】
ここで、音楽と映像とを組み合わせるための技術としては、例えば、特許文献１に開示されているものがある。
【０００６】
特許文献１に開示されている技術では、多くの映像を蓄積している映像表示装置に、それぞれの映像に現れる事象に関連する語が映像毎にキーワードとして管理されている。音楽データが通信回線を介して映像表示装置にダウンロードされると、その音楽データから音楽の歌詞に含まれる単語等が抽出され、抽出された単語等に対応するキーワードを有する映像が自動的に選択される。そして、ダウンロードされた音楽データに基づく音楽と、選択された映像とが映像表示装置において同時に出力される。
【特許文献１】特開平９−２８８６８１号公報
【発明の開示】
【発明が解決しようとする課題】
【０００７】
上述した特許文献１に開示されている技術は、通信カラオケ等で既に利用されており、ユーザは、この技術を利用することにより、音楽と同時にその音楽に合った映像を楽しむことが可能である。
【０００８】
ここで、インターネットを利用して音楽や映像をダウンロードする一般的なインターネットユーザの利用形態にこの技術を適用してみると、一般的なインターネットユーザが利用しているパーソナルコンピュータや携帯端末等の情報端末が上述した特許文献１における映像表示装置に相当することとなる。つまり、ユーザが音楽とその音楽にあった映像を楽しむためには、ユーザが利用している情報端末に多くの映像データが蓄積されている必要がある。
【０００９】
しかし、一般的なインターネットユーザが保有している情報端末は、記憶容量が限られていることが通常である。従って、多くの映像データを蓄積させておくためには、ユーザは、情報端末に記憶装置を増設する等の追加のコスト負担をする必要があるという問題点がある。
【００１０】
一方、情報端末に記憶装置の増設等をしない場合、情報端末に蓄積されている映像データの数が少なくなる。その結果、異なる音楽に対して同じ映像が選択されることが多くなり、ユーザが音楽と映像との組み合わせを十分に楽しめなくなるという問題点がある。
【００１１】
本発明は、ユーザに追加のコスト負担を強いることなく、ユーザが音楽とその音楽に合った映像とを同時に楽しむことができる映像配信システム、情報端末、サーバ、映像配信方法及びプログラムを提供することを目的とする。
【課題を解決するための手段】
【００１２】
上記目的を達成するために本発明は、
サーバと、サーバから送信される映像を表示する情報端末とを有する映像配信システムであって、
前記情報端末は、
音楽を一意に識別できる音楽識別情報と、前記音楽の特徴を示す音楽キーワードとを含む音楽データを記憶する第１の記憶部と、
前記音楽データに基づく音楽を出力する音楽出力部と、
前記映像の特徴を示す映像キーワードを含む映像データに基づく映像を表示する表示部と、
前記音楽識別情報の選択を受け付ける音楽選択手段と、
前記音楽選択手段にて受け付けられた音楽識別情報を含む前記第１の記憶部に記憶されている前記音楽データから、前記音楽キーワードを取得して前記サーバへ送信し、前記サーバから送信された映像データを受信すると、該受信した映像データに基づく映像を前記表示部に表示させるとともに、前記受け付けられた音楽識別情報を含む音楽データに基づく音楽を前記音楽出力部に出力させる第１の制御部とを有し、
前記サーバは、
前記映像データを記憶する第２の記憶部と、
前記第１の制御部から送信された音楽キーワードを受信すると、該受信した音楽キーワードと同じ映像キーワードを含む前記映像データを前記第２の記憶部から検索し、前記検索された映像データを前記第１の制御部へ送信する第２の制御部とを有する。
【００１３】
また、サーバから送信される映像を表示する情報端末であって、
音楽を一意に識別できる音楽識別情報と、前記音楽の特徴を示す音楽キーワードとを含む音楽データを記憶する記憶部と、
前記音楽データに基づく音楽を出力する音楽出力部と、
前記映像の特徴を示す映像キーワードを含む映像データに基づく映像を表示する表示部と、
前記音楽識別情報の選択を受け付ける音楽選択手段と、
前記音楽選択手段にて受け付けられた音楽識別情報を含む前記記憶部に記憶されている前記音楽データから前記音楽キーワードを取得して前記サーバへ送信し、前記サーバから送信された映像データを受信すると、該受信した映像データに基づく映像を前記表示部に表示させるとともに、前記受け付けられた音楽識別情報を含む音楽データに基づく音楽を前記音楽出力部に出力させる制御部とを有する。
【００１４】
また、音楽の音楽データを記憶している情報端末に表示させる映像を有するサーバであって、
前記映像の特徴を示す映像キーワードを含む映像データを記憶する記憶部と、
前記情報端末から送信された前記音楽の特徴を示す音楽キーワードを受信すると、該受信した音楽キーワードと同じ映像キーワードを含む前記映像データを前記記憶部から検索し、前記検索された映像データを前記情報端末へ送信する制御部とを有する。
【００１５】
また、音楽を一意に識別できる音楽識別情報と、前記音楽の特徴を示す音楽キーワードとを含む音楽データを記憶する第１の記憶部と、前記音楽データに基づく音楽を出力する音楽出力部と、映像の特徴を示す映像キーワードを含む映像データに基づく映像を表示する表示部とを具備する情報端末と、前記映像データを記憶する第２の記憶部を具備するサーバとを有する映像配信システムにおける映像配信方法であって、
前記音楽識別情報の選択を受け付ける処理と、
受け付けられた音楽識別情報を含む前記第１の記憶部に記憶されている前記音楽データから前記音楽キーワードを取得して前記サーバへ送信する処理と、
前記送信された音楽キーワードを受信すると、該受信した音楽キーワードと同じ映像キーワードを含む前記映像データを前記第２の記憶部から検索する処理と、
前記検索された映像データを前記情報端末へ送信する処理と、
前記送信された映像データを受信すると、該受信した映像データに基づく映像を前記表示部に表示させるとともに、前記受け付けられた音楽識別情報を含む音楽データに基づく音楽を前記音楽出力部に出力させる処理とを有する。
【００１６】
また、音楽を一意に識別できる音楽識別情報と、前記音楽の特徴を示す音楽キーワードとを含む音楽データを記憶する記憶部と、前記音楽データに基づく音楽を出力する音楽出力部と、映像の特徴を示す映像キーワードを含む映像データに基づく映像を表示する表示部とを有し、サーバから送信される映像を表示する情報端末に、
前記音楽識別情報の選択を受け付ける機能と、
受け付けられた音楽識別情報を含む前記記憶部に記憶されている前記音楽データから前記音楽キーワードを取得して前記サーバへ送信する機能と、
前記サーバから送信された映像データを受信すると、該受信した映像データに基づく映像を前記表示部に表示させるとともに、前記受け付けられた音楽識別情報を含む音楽データに基づく音楽を前記音楽出力部に出力させる機能とを実現させる。
【００１７】
また、音楽の音楽データを記憶している情報端末に表示させる映像の特徴を示す映像キーワードを含む映像データを記憶する記憶部を有するサーバに、
前記情報端末から送信された前記音楽の特徴を示す音楽キーワードを受信すると、該受信した音楽キーワードと同じ映像キーワードを含む前記映像データを記憶部から検索し、前記検索された映像データを前記情報端末へ送信する機能を実現させる。
【発明の効果】
【００１８】
本発明は以上説明したように構成されているので、ユーザは、ユーザの情報端末に多くの映像データを蓄積させておく必要がなく、記憶装置を増設する等の追加のコスト負担をする必要がない。
【００１９】
また、ユーザは、音楽と映像との組み合わせを容易かつ十分に楽しむことができる。
【発明を実施するための最良の形態】
【００２０】
以下に、本発明の実施の形態について図面を参照して説明する。
【００２１】
（第１の実施の形態）
図１は、本発明の映像配信システムの第１の実施の形態を示す図である。
【００２２】
本形態は図１に示すように、複数の情報端末１００ａ〜１００ｎと、サーバ２００とを備えている。
【００２３】
情報端末１００ａ〜１００ｎのそれぞれとサーバ２００とは通信回線１で接続されている。
【００２４】
図２は、図１に示した情報端末１００ａの一構成例を示すブロック図である。なお、情報端末１００ｂ〜１００ｎも同じ構成である。
【００２５】
図２に示すように、図１に示した情報端末１００ａは、第１の制御部である制御部１０１と、通信ＩＦ（インタフェース）部１０２と、第１の記憶部である記憶部１０３と、表示部１０４と、音楽出力部１０５と、音楽選択手段であるＵＩ（ユーザインタフェース）部１０６とを備えている。
【００２６】
制御部１０１は、情報端末１００ａの動作を制御するものであり、代表的な動作としては以下が挙げられる。
【００２７】
（１）記憶部１０３に記憶されている音楽データに基づく音楽を音楽出力部１０５に出力させる。
【００２８】
（２）サーバ２００から受信した映像データに基づく映像を表示部１０４に表示させる。
【００２９】
（３）ＵＩ部１０６から出力された制御信号が示す音楽名に基づき、記憶部１０３に記憶されている音楽データから音楽の特徴を示す情報を取得し、通信ＩＦ部１０２を介してサーバ２００へ送信する。
【００３０】
通信ＩＦ部１０２は、サーバ２００との通信を仲介する。
【００３１】
記憶部１０３は、複数の音楽の音楽データを記憶している。
【００３２】
表示部１０４は、映像データに基づく映像を表示する。
【００３３】
音楽出力部１０５は、音楽データに基づく音楽を出力する。
【００３４】
ＵＩ部１０６は、ユーザから音楽名の選択を受け付け、受け付けた音楽名を制御信号として制御部１０１へ出力する。
【００３５】
図３は、図１に示したサーバ２００の構成を示すブロック図である。
【００３６】
図３に示すようにサーバ２００は、第２の制御部である制御部２０１と、通信ＩＦ部２０２と、第２の記憶部である記憶部２０３とを備えている。
【００３７】
制御部２０１は、サーバ２００の動作を制御するものであり、代表的な動作としては以下が挙げられる。
【００３８】
（１）情報端末１００ａ〜１００ｎから送信された音楽の特徴を示す情報を受信すると、受信した情報に基づいて記憶部２０３が記憶している映像データを検索する。
【００３９】
（２）検索された映像データを音楽の特徴を示す情報の送信元の情報端末１００ａ〜１００ｎへ送信する。
【００４０】
通信ＩＦ部２０２は、情報端末１００ａ〜１００ｎとの通信を仲介する。
【００４１】
記憶部２０３は、複数の映像の映像データを記憶している。
【００４２】
本形態において音楽データには、音楽そのものの基となるデータ以外に、音楽を一意に識別できる音楽識別情報である音楽名と、それぞれの音楽の特徴を示す情報が登録されている。
【００４３】
図４は、図２に示した記憶部１０３が記憶している音楽データの構成の一例を示す図である。
【００４４】
図４に示すように音楽データ１０は、音楽名が登録されている音楽名部１１と、その音楽の特徴を示す内容が登録されている音楽情報部１２と、音楽そのものの基となるデータである音楽部１３とから構成されている。
【００４５】
ここでは、音楽情報部１２には、その音楽が持つ雰囲気を示す音楽キーワードが予め登録されている。登録される音楽キーワードは、例えば、「癒される」、「静か」、「ゆっくり」、「元気が出る」、「アップテンポ」等がある。
【００４６】
また、映像データも上述した音楽データ１０と同様の構成となっている。
【００４７】
図５は、図３に示した記憶部２０３が記憶している映像データの構成の一例を示す図である。
【００４８】
図５に示すように映像データ２０は、映像を一意に識別できる映像識別情報である映像名が登録されている映像名部２１と、その映像の特徴を示す内容が登録されている映像情報部２２と、映像そのものの基となるデータである映像部２３とから構成されている。また、ここでは、映像情報部２２には、音楽データ１０の音楽情報部１２と同様に、その映像が持つ雰囲気を示す映像キーワードが予め登録されている。
【００４９】
以下に、上記のように構成された映像配信システムにおいて、情報端末１００ａに記憶されている音楽の特徴に合った映像をサーバ２００からダウンロードし、情報端末１００ａにおいて、その音楽を出力するとともに映像を表示する場合の動作について説明する。
【００５０】
図６は、図１に示した映像配信システムにおける映像配信方法の一例を説明するためのフローチャートである。
【００５１】
まず、情報端末１００ａのユーザは、表示部１０４に表示された音楽から聴きたい音楽を選択する。
【００５２】
図７は、図２に示した表示部１０４に表示されている、音楽を選択するための音楽選択画面の一例を示す図である。
【００５３】
図７に示すように、表示部１０４に表示された音楽選択画面３０には、複数の音楽の音楽名が表示されており、ユーザは、キーボードやマウス等の入力装置（不図示）を用い、複数の音楽名の中から聴きたい音楽の音楽名を選択する。
【００５４】
ＵＩ部１０６は、ユーザから音楽名の選択を受け付け（ステップＳ１）、その音楽名を示す制御信号を制御部１０１へ出力する。
【００５５】
ＵＩ部１０６から音楽名を示す制御信号の出力を受けた制御部１０１は、その音楽名が音楽名部１１に登録されている音楽データ１０を記憶部１０３から検索し、検索された音楽データ１０の音楽情報部１２に登録されている音楽キーワードを取得する（ステップＳ２）。
【００５６】
そして、制御部１０１は、取得した音楽キーワードを通信ＩＦ部１０２を介してサーバ２００へ送信する（ステップＳ３）。
【００５７】
サーバ２００の制御部２０１は、情報端末１００ａから送信された音楽キーワードを通信ＩＦ部２０２を介して受信する（ステップＳ４）。
【００５８】
次に、制御部２０１は、受信した音楽キーワードと同じ映像キーワードが映像情報部２２に登録されている映像データ２０を記憶部２０３から検索する（ステップＳ５）。なお、受信した音楽キーワードと同じ映像キーワードが映像情報部２２に登録されている映像データ２０が存在しなかった場合、受信した音楽キーワードに類似する映像キーワードが映像情報部２２に登録されている映像データ２０を検索する。
【００５９】
例えば、映像情報部２２に、「癒される」、「静か」、「ゆっくり」、「元気が出る」、「アップテンポ」の５つのうちいずれか１つが映像キーワードとして登録されているとする。上記映像キーワードの記載順は、キーワードとして類似している順番となっており、制御部２０１が検索する順番を表わしている。つまり、制御部２０１が受信した音楽キーワードが「癒される」であった場合、「癒される」という映像キーワードが映像情報部２２に登録されている映像データ２０が存在しなければ、制御部２０１は、「癒される」に最も類似している「静か」という映像キーワードが映像情報部２２に登録されている映像データ２０を検索する。
【００６０】
次に、制御部２０１は、ステップＳ５における検索の結果、複数の映像データ２０が検索されたかどうかを判定する（ステップＳ６）。
【００６１】
ステップＳ５における検索の結果、複数の映像データ２０が見つかった場合、制御部２０１は、見つかった複数の映像データ２０の中から任意の１つの映像データ２０を選択する（ステップＳ７）。
【００６２】
そして、制御部２０１は、選択した映像データ２０を記憶部２０３から取得する（ステップＳ８）。
【００６３】
一方、ステップＳ５における検索の結果、１つの映像データ２０が見つかった場合、制御部２０１は、ステップＳ８の動作に移行し、その１つの映像データ２０を記憶部２０３から取得する
次に、制御部２０１は、取得した映像データ２０を通信ＩＦ部２０２を介して情報端末１００ａへ送信する（ステップＳ９）。
【００６４】
情報端末１００ａの制御部１０１は、サーバ２００から送信された映像データ２０を通信ＩＦ部１０２を介して受信する（ステップＳ１０）。
【００６５】
そして、制御部１０１は、受信した映像データ２０の映像部２３のデータに基づく映像を表示部１０４に表示させるとともに、ステップＳ１において選択された音楽名が音楽名部１１に登録されている音楽データ１０に基づく音楽を音楽出力部１０５に出力させる（ステップＳ１１）。
【００６６】
このように、本実施形態においては、音楽に合った映像が自動的にサーバから送信されるため、ユーザは、音楽とその音楽に合った映像とを同時に楽しむことができる。
【００６７】
（第２の実施の形態）
上述した第１の実施の形態では、情報端末１００ａから送信された音楽キーワードと同じ映像キーワードが映像情報部２２に登録されている映像データ２０を検索した結果、複数の映像データ２０が見つかると、サーバ２００がその複数の映像データ２０のうち任意の１つの映像データ２０を選択する場合について説明した。
【００６８】
第２の実施の形態では、サーバ２００は、検索された複数の映像データ２０のうち任意の１つの映像データ２０を選択せず、見つかった複数の映像データ２０を情報端末１００ａへ送信する場合について説明する。なお、ここでは、情報端末１００ａから送信された音楽キーワードに基づいて映像データ２０を検索した結果、複数の映像データ２０が検索されるものとして説明する。
【００６９】
図８は、図１に示した映像配信システムにおける映像配信方法の他の例を説明するためのフローチャートである。
【００７０】
図８に示すフローチャートにおいて、ステップＳ２１〜Ｓ２５までの動作は、図６に示したフローチャートにおけるステップＳ１〜Ｓ５と同じなので、説明を省略する。
【００７１】
制御部２０１は、ステップＳ２５における検索の結果見つかった複数の映像データ２０を記憶部２０３から取得する（ステップＳ２６）。
【００７２】
次に、制御部２０１は、取得した複数の映像データ２０を通信ＩＦ部２０２を介して情報端末１００ａへ送信する（ステップＳ２７）。
【００７３】
情報端末１００ａの制御部１０１は、サーバ２００から送信された複数の映像データ２０を通信ＩＦ部１０２を介して受信する（ステップＳ２８）。
【００７４】
次に、制御部１０１は、受信した複数の映像データ２０を記憶部１０３に記憶させるとともに、複数の映像データ２０に基づく映像を一覧できるように表示部１０４に表示させる（ステップＳ２９）。
【００７５】
図９は、図２に示した表示部１０４に表示されている、映像を選択するための映像選択画面の一例を示す図である。
【００７６】
図９に示すように、図２に示した表示部１０４に表示される映像選択画面４０には、それぞれ異なる複数の映像４１〜４３が一覧できるように表示されており、ユーザは、それぞれ異なる複数の映像を比較し、キーボードやマウス等の入力装置（不図示）を用いて所望の映像の上に表示されている映像名を選択する。なお、図９に示す映像選択画面４０には、３つの映像４１〜４３が表示されているが、表示可能な映像は３つに限らない。
【００７７】
ＵＩ部１０６は、ユーザから映像名の選択を受け付け（ステップＳ３０）、その映像名を示す制御信号を制御部１０１へ出力する。なお、このように、ＵＩ部１０６は、音楽選択手段であるとともに、映像選択手段でもある。
【００７８】
ＵＩ部１０６から映像名を示す制御信号の出力を受けた制御部１０１は、その映像名が映像名部２１に登録されている映像データ２０を記憶部１０３から検索し、検索された映像データ２０を取得するとともに、ステップＳ２１において選択された音楽名が音楽名部１１に登録されている音楽データ１０を記憶部１０３から取得する（ステップＳ３１）。
【００７９】
そして、制御部１０１は、取得した映像データ２０に基づく映像を表示部１０４に表示させるとともに、取得した音楽データ１０に基づく音楽を音楽出力部１０５に出力させる（ステップＳ３２）。
【００８０】
なお、上述した第２の実施の形態では、サーバ２００は、複数の映像データ２０を情報端末１００ａへ送信したが、その複数の映像データに代えて複数のサンプル映像の映像データを送信するようにしてもよい。その場合、情報端末１００ａのユーザが所望のサンプル映像を選択すると、選択されたサンプル映像の情報がサーバ２００に送信される。そして、情報端末１００ａから送信されたサンプル映像の情報を受信したサーバ２００は、その情報が示す映像の映像データ２０を情報端末１００ａへ送信することとなる。
【００８１】
このように、本実施形態においては、音楽に合った複数の映像が自動的にサーバから送信され、ユーザは複数の映像を見比べた上で、映像を選択できるため、ユーザは、音楽に合い、さらに自身の好みに合った映像を音楽と同時に楽しむことができる。
【００８２】
（第３の実施の形態）
上述した第１及び第２の実施の形態では、音楽情報部１２に登録されている音楽キーワードのみに基づいて映像が選択された。
【００８３】
第３の実施の形態においては、映像データは、その映像データに基づく映像を見るのに最も適した場所を示す最適場所情報部を有している。
【００８４】
図１０は、図３に示した記憶部２０３が記憶している映像データの構成の他の例を示す図である。
【００８５】
図１０に示すように映像データ１２０は、図５に示した映像データ２０の映像名部２１、映像情報部２２及び映像部２３に加え、最適場所情報部２４を有している。最適場所情報部２４に登録される情報は、例えば、「海の近く」、「川の近く」、「高原」、「都会」、「高速道路上」等である。
【００８６】
なお、第３の実施の形態においては、情報端末１００ａは、自身の存在している位置を認識するための位置情報取得部を備えている。
【００８７】
図１１は、図１に示した情報端末１００ａの他の構成例を示すブロック図である。なお、情報端末１００ｂ〜１００ｎも同じ構成である。
【００８８】
図１１に示すように本形態の情報端末１００ａは、図２に示した情報端末１００ａと比較すると、位置情報取得部１０７を有している点が異なる。
【００８９】
位置情報取得部１０７は、ＧＰＳ（Ｇｌｏｂａｌ  Ｐｏｓｉｔｉｏｎｉｎｇ  Ｓｙｓｔｅｍ）等を利用して、情報端末１００ａが存在している位置の緯度及び経度を示す位置情報を常に把握している。
【００９０】
また、第３の実施の形態においては、図３に示したサーバ２００の記憶部２０３は、緯度及び経度を示す位置情報に基づいて場所を認識することができる地図データを有している。
【００９１】
以下に、上記のように構成された映像配信システムにおいて、情報端末１００ａに記憶されている音楽の特徴に合った映像をサーバ２００からダウンロードし、情報端末１００ａにおいて、その音楽を出力するとともに映像を表示する場合の動作について説明する。
【００９２】
図１２は、図１に示した映像配信システムにおける映像配信方法の他の例を説明するためのフローチャートである。
【００９３】
図１２に示すフローチャートにおいて、ステップＳ５１〜Ｓ５２までの動作は、図６に示したフローチャートにおけるステップＳ１〜Ｓ２と同じなので、説明を省略する。
【００９４】
情報端末１００ａの制御部１０１は、位置情報取得部１０７が把握している情報端末１００ａが存在している位置の緯度及び経度を示す位置情報を取得する（ステップＳ５３）。
【００９５】
次に、制御部１０１は、ステップＳ５２において取得した音楽キーワードと、ステップＳ５３において取得した位置情報とを通信ＩＦ部１０２を介してサーバ２００へ送信する（ステップＳ５４）。
【００９６】
サーバ２００の制御部２０１は、情報端末１００ａから送信された音楽キーワード及び位置情報を通信ＩＦ部２０２を介して受信する（ステップＳ５５）。
【００９７】
次に、制御部２０１は、記憶部２０３が記憶している地図データから情報端末１００ａが存在している場所を、受信した位置情報に基づいて認識する。
【００９８】
次に、制御部２０１は、場所を示す情報として予め設定されている複数の場所情報の中から、認識した場所に最も近い場所情報を選択する（ステップＳ５６）。
【００９９】
複数の場所情報としては、例えば、「海の近く」、「川の近く」、「高原」、「都会」、「高速道路上」等がある。これらは、映像データ１２０の最適場所情報部２４に登録される情報と同じになるように設定されている。
【０１００】
次に、制御部２０１は、ステップＳ５５において受信した音楽キーワードと同じ映像キーワードが映像情報部２２に登録されている映像データ１２０を記憶部２０３から検索する（ステップＳ５７）。なお、受信した音楽キーワードと同じ映像キーワードが映像情報部２２に登録されている映像データ１２０が存在しなかった場合、第１の実施の形態において説明したものと同様に、受信した音楽キーワードに類似する映像キーワードが映像情報部２２に登録されている映像データ１２０を検索する。
【０１０１】
そして、制御部２０１は、ステップＳ５７において検索された映像データ１２０の中から、ステップＳ５６において選択した場所情報と同じ場所情報が最適場所情報部２４に登録されている映像データ１２０を記憶部２０３から検索する（ステップＳ５８）。
【０１０２】
なお、ステップＳ５６において選択した場所情報と同じ場所情報が最適場所情報部２４に登録されている映像データ１２０が存在しなかった場合、情報端末１００ａから受信した位置情報に基づき、選択した場所情報を除外した残りの場所情報の中から、情報端末１００ａが存在している場所として認識した場所に最も近い場所情報を選択する。
【０１０３】
以降の動作であるステップＳ５９〜Ｓ６４は、図６に示したフローチャートのステップＳ６〜Ｓ１１の動作と同じなので、説明を省略する。
【０１０４】
なお、上述した第３の実施の形態においても、第２の実施の形態で説明したように複数の映像データ１２０を情報端末１００ａに送信し、情報端末１００ａにおいて複数の映像データ１２０に基づく映像の中から、選択した音楽とともに表示させる映像を選択することも可能である。
【０１０５】
また、上述した動作フローのステップＳ５７とステップＳ５８の順序を逆にし、サーバ２００の制御部２０１は、先に場所情報から映像データ１２０を検索するようにしてもよい。
【０１０６】
このように、本実施形態においては、音楽及びその音楽を聴く場所に合った映像が自動的にサーバから送信されるため、ユーザは、音楽とその音楽を聴く状況に合った映像とを同時に楽しむことができる。
【０１０７】
（第４の実施の形態）
上述した第１の実施の形態及び第２の実施の形態では、音楽の特徴を示す音楽情報部１２に登録されている音楽キーワードのみに基づいて映像が選択された。また、上述した第３の実施の形態では、音楽キーワード及び位置情報に基づいて映像が選択された。
【０１０８】
第４の実施の形態においては、映像データは、その映像データに基づく映像を見るのに最も適した時間帯を示す最適時間帯情報部を有している。
【０１０９】
図１３は、図３に示した記憶部２０３が記憶している映像データの構成の他の例を示す図である。
【０１１０】
図１３に示すように映像データ２２０は、図５に示した映像データ２０の映像名部２１、映像情報部２２及び映像部２３に加え、最適時間帯情報部２５を有している。最適時間帯情報部２５に登録される情報は、例えば、「早朝」、「朝」、「昼」、「夜」、「深夜」等である。
【０１１１】
なお、第４の実施の形態における情報端末１００ａの構成は、図２に示した情報端末１００ａと同じである。
【０１１２】
また、第４の実施の形態においては、図２に示した情報端末１００ａの制御部１０１は、現在の時刻を常に把握している。
【０１１３】
以下に、上記のように構成された映像配信システムにおいて、情報端末１００ａに記憶されている音楽の特徴に合った映像をサーバ２００からダウンロードし、情報端末１００ａにおいて、その音楽を出力するとともに映像を表示する場合の動作について説明する。
【０１１４】
図１４は、図１に示した映像配信システムにおける映像配信方法の他の例を説明するためのフローチャートである。
【０１１５】
図１４に示すフローチャートにおいて、ステップＳ８１〜Ｓ８２までの動作は、図６に示したフローチャートにおけるステップＳ１〜Ｓ２と同じなので、説明を省略する。
【０１１６】
次に、情報端末１００ａの制御部１０１は、自身が把握している現在の時刻を時刻情報として取得する（ステップＳ８３）。
【０１１７】
そして、制御部１０１は、ステップＳ８２において取得した音楽キーワードと、ステップＳ８３において取得した時刻情報とを通信ＩＦ部１０２を介してサーバ２００へ送信する（ステップＳ８４）。
【０１１８】
サーバ２００の制御部２０１は、情報端末１００ａから送信された音楽キーワード及び時刻情報を通信ＩＦ部２０２を介して受信する（ステップＳ８５）。
【０１１９】
次に、制御部２０１は、時間帯を示す情報として予め設定されている複数の時間帯情報の中から、情報端末１００ａから受信した時刻情報が示す時刻に最も適合する時間帯情報を選択する（ステップＳ８６）。
【０１２０】
複数の時間帯情報としては、例えば、「早朝」、「朝」、「昼」、「夕方」、「夜」、「深夜」等がある。これらは、映像データ２２０の最適時間帯情報部２５に登録される情報と同じになるように設定されている。
【０１２１】
次に、制御部２０１は、ステップＳ８５において受信した音楽キーワードと同じ映像キーワードが映像情報部２２に登録されている映像データ２２０を記憶部２０３から検索する（ステップＳ８７）。なお、受信した音楽キーワードと同じ映像キーワードが映像情報部２２に登録されている映像データ２２０が存在しなかった場合、第１の実施の形態において説明したものと同様に、受信した音楽キーワードに類似する映像キーワードが映像情報部２２に登録されている映像データ２２０を検索する。
【０１２２】
そして、制御部２０１は、ステップＳ８７において検索された映像データ２２０の中から、ステップＳ８６において選択した時間帯情報と同じ時間帯情報が最適時間帯情報部２５に登録されている映像データ２２０を記憶部２０３から検索する（ステップＳ８８）。
【０１２３】
なお、ステップＳ８６において選択した時間帯情報が最適時間帯情報部２５に登録されている映像データ２２０が存在しなかった場合、ステップＳ８６において選択した時間帯情報に近い時間帯情報が最適時間帯情報部２５に登録されている映像データ２２０が検索される。例えば、最適時間帯情報部２５に「早朝」が登録されている映像データ２２０が存在しなかった場合、制御部２０１は、最適時間帯情報部２５に「朝」が登録されている映像データ２２０を検索する。
【０１２４】
以降の動作であるステップＳ８９〜Ｓ９４は、図６に示したフローチャートのステップＳ６〜Ｓ１１の動作と同じなので、説明を省略する。
【０１２５】
なお、上述した第４の実施の形態においても、第２の実施の形態で説明したように複数の映像データ２２０を情報端末１００ａに送信し、情報端末１００ａにおいて複数の映像データ２２０に基づく映像の中から、選択した音楽とともに表示させる映像を選択することも可能である。
【０１２６】
また、上述した動作フローのステップＳ８７とステップＳ８８の順序を逆にし、サーバ２００の制御部２０１は、先に時間帯情報から映像データ２２０を検索するようにしてもよい。
【０１２７】
このように、本実施形態においては、音楽及びその音楽を聴く時間帯に合った映像が自動的にサーバから送信されるため、ユーザは、音楽とその音楽を聴く状況に合った映像とを同時に楽しむことができる。
【０１２８】
（第５の実施の形態）
第５の実施の形態では、上述した第３の実施の形態で説明した場所情報と、第４の実施の形態で説明した時間帯情報と、音楽キーワードとから映像データを検索する場合について説明する。
【０１２９】
従って、第５の実施の形態においては、情報端末１００ａの構成は、図１１に示した位置情報取得部１０７を備えた構成となっている。
【０１３０】
また、図３に示したサーバ２００の記憶部２０３は、緯度及び経度を示す位置情報に基づいて場所を認識することができる地図データを有している。
【０１３１】
また、図２に示した情報端末１００ａの制御部１０１は、現在の時刻を常に把握している。
【０１３２】
図１５は、図３に示した記憶部２０３が記憶している映像データの構成の他の例を示す図である。
【０１３３】
図１５に示すように映像データ３２０は、図５に示した映像データ２０の映像名部２１、映像情報部２２及び映像部２３に加え、図１０に示した最適場所情報部２４と、図１３に示した最適時間帯情報部２５とを有している。
【０１３４】
以下に、上記のように構成された映像配信システムにおいて、情報端末１００ａに記憶されている音楽の特徴に合った映像をサーバ２００からダウンロードし、情報端末１００ａにおいて、その音楽を出力するとともに映像を表示する場合の動作について説明する。
【０１３５】
図１６は、図１に示した映像配信システムにおける映像配信方法の他の例を説明するためのフローチャートである。
【０１３６】
図１６に示すフローチャートにおいて、ステップＳ１０１〜Ｓ１０３までの動作は、図１２に示したフローチャートにおけるステップＳ５１〜Ｓ５３と同じなので、説明を省略する。
【０１３７】
次に、情報端末１００ａの制御部１０１は、自身が把握している現在の時刻を時刻情報として取得する（ステップＳ１０４）。
【０１３８】
そして、制御部１０１は、ステップＳ１０２において取得した音楽キーワードと、ステップＳ１０３において取得した位置情報と、ステップＳ１０４において取得した時刻情報とを通信ＩＦ部１０２を介してサーバ２００へ送信する（ステップＳ１０５）。
【０１３９】
サーバ２００の制御部１０１は、情報端末１００ａから送信された音楽キーワード、位置情報及び時刻情報を通信ＩＦ部２０２を介して受信する（ステップＳ１０６）。
【０１４０】
次に、制御部１０１は、時間帯を示す情報として予め設定されている複数の時間帯情報の中から、情報端末１００ａから受信した時刻情報が示す時刻に最も適合する時間帯情報を選択する（ステップＳ１０７）。
【０１４１】
次に、制御部２０１は、記憶部２０３が記憶している地図データから情報端末１００ａが存在している場所を、受信した位置情報に基づいて認識する。
【０１４２】
次に、制御部２０１は、場所を示す情報として予め設定されている複数の場所情報の中から、認識した場所に最も近い場所情報を選択する（ステップＳ１０８）。
【０１４３】
次に、制御部２０１は、ステップＳ１０６において受信した音楽キーワードと同じ映像キーワードが映像情報部２２に登録されている映像データ３２０を記憶部２０３から検索する（ステップＳ１０９）。なお、受信した音楽キーワードと同じ映像キーワードが映像情報部２２に登録されている映像データ３２０が存在しなかった場合、第１の実施の形態において説明したものと同様に、受信した音楽キーワードに類似する映像キーワードが映像情報部２２に登録されている映像データ３２０を検索する。
【０１４４】
そして、制御部２０１は、ステップＳ１０９において検索された映像データ３２０の中から、ステップＳ１０８において選択した場所情報と同じ場所情報が最適場所情報部２４に登録されている映像データ３２０を記憶部２０３から検索する（ステップＳ１１０）。なお、ステップＳ１０８において選択した場所情報と同じ場所情報が最適場所情報部２４に登録されている映像データ３２０が存在しなかった場合、情報端末１００ａから受信した位置情報に基づき、選択した場所情報を除外した残りの場所情報の中から、情報端末１００ａが存在している場所として認識した場所に最も近い場所情報を選択する。
【０１４５】
そして、制御部２０１は、ステップＳ１１０において検索された映像データ３２０の中から、ステップＳ１０７において選択した時間帯情報と同じ時間帯情報が最適時間帯情報部２５に登録されている映像データ３２０を記憶部２０３から検索する（ステップＳ１１１）。
【０１４６】
なお、ステップＳ１０７において選択した時間帯情報が最適時間帯情報部２５に登録されている映像データ３２０が存在しなかった場合、ステップＳ１０７において選択した時間帯情報に近い時間帯情報が最適時間帯情報部２５に登録されている映像データ３２０が検索される。例えば、最適時間帯情報部２５に「早朝」が登録されている映像データ３２０が存在しなかった場合、制御部２０１は、最適時間帯情報部２５に「朝」が登録されている映像データ３２０を検索する。
【０１４７】
以降の動作であるステップＳ１１２〜Ｓ１１７は、図１２に示したフローチャートのステップＳ５９〜Ｓ６４の動作と同じなので、説明を省略する。
【０１４８】
なお、上述した第５の実施の形態においても、第２の実施の形態で説明したように複数の映像データ３２０を情報端末１００ａに送信し、情報端末１００ａにおいて複数の映像データ３２０に基づく映像の中から、選択した音楽とともに表示させる映像を選択することも可能である。
【０１４９】
また、上述した動作フローのステップＳ１０９〜Ｓ１１１における映像データ３２０を検索する順番は、この順番に限られることはなく、入れ替えることが可能である。
【０１５０】
このように、本実施形態においては、音楽と、その音楽を聴く場所及び時間帯とに合った映像が自動的にサーバから送信されるため、ユーザは、音楽とその音楽を聴く状況により合った映像とを同時に楽しむことができる。
【０１５１】
なお、サーバ２００から映像の配信を受ける情報端末１００ａ〜１００ｎは、パーソナルコンピュータ、ＰＤＡ（Ｐｅｒｓｏｎａｌ  Ｄｉｇｉｔａｌ  Ａｓｓｉｓｔａｎｔ）、携帯電話、携帯音楽端末、ゲーム端末、カーナビゲーションシステム等、通信機能を有し、映像及び音楽を出力できる端末であれば何でもよい。
【０１５２】
また、サーバ２００と情報端末１００ａ〜１００ｎとを接続する通信回線は、有線の通信回線に限られるものではなく、無線の通信回線でもよい。
【０１５３】
また、上述した５つの形態では、映像データをダウンロードしてから映像及び音楽が出力される場合について説明したが、サーバから映像データのストリーミング配信を受けながら映像を表示しつつ音楽を出力することも可能である。
【０１５４】
また、本発明においては、情報端末内及びサーバ内の処理は上述の専用のハードウェアにより実現されるもの以外に、その機能を実現するためのプログラムを情報端末及びサーバにて読取可能な記録媒体に記録し、この記録媒体に記録されたプログラムを情報端末及びサーバに読み込ませ、実行するものであっても良い。情報端末及びサーバにて読取可能な記録媒体とは、フロッピーディスク、光磁気ディスク、ＤＶＤ、ＣＤなどの移設可能な記録媒体の他、情報端末及びサーバに内蔵されたＨＤＤなどを指す。
【図面の簡単な説明】
【０１５５】
【図１】本発明の映像配信システムの第１の実施の形態を示す図である。
【図２】図１に示した情報端末の一構成例を示すブロック図である。
【図３】図１に示したサーバの構成を示すブロック図である。
【図４】図２に示した記憶部が記憶している音楽データの構成の一例を示す図である。
【図５】図３に示した記憶部が記憶している映像データの構成の一例を示す図である。
【図６】図１に示した映像配信システムにおける映像配信方法の一例を説明するためのフローチャートである。
【図７】図２に示した表示部に表示されている、音楽を選択するための音楽選択画面の一例を示す図である。
【図８】図１に示した映像配信システムにおける映像配信方法の他の例を説明するためのフローチャートである。
【図９】図２に示した表示部に表示されている、映像を選択するための映像選択画面の一例を示す図である。
【図１０】図３に示した記憶部が記憶している映像データの構成の他の例を示す図である。
【図１１】図１に示した情報端末の他の構成例を示すブロック図である。
【図１２】図１に示した映像配信システムにおける映像配信方法の他の例を説明するためのフローチャートである。
【図１３】図３に示した記憶部が記憶している映像データの構成の他の例を示す図である。
【図１４】図１に示した映像配信システムにおける映像配信方法の他の例を説明するためのフローチャートである。
【図１５】図３に示した記憶部が記憶している映像データの構成の他の例を示す図である。
【図１６】図１に示した映像配信システムにおける映像配信方法の他の例を説明するためのフローチャートである。
【符号の説明】
【０１５６】
１    通信回線
１０    音楽データ
１１    音楽名部
１２    音楽情報部
１３    音楽部
２０，１２０，２２０，３２０    映像データ
２１    映像名部
２２    映像情報部
２３    映像部
２４    最適場所情報部
２５    最適時間帯情報部
３０    音楽選択画面
４０    映像選択画面
４１〜４２    映像
１００ａ〜１００ｎ    情報端末
１０１，２０１    制御部
１０２，２０２    通信ＩＦ部
１０３，２０３    記憶部
１０４    表示部
１０５    音楽出力部
１０６    ＵＩ部
１０７    位置情報取得部
２００    サーバ
【図１】
2010034771.tif 000003
【図２】
2010034771.tif 000004
【図３】
2010034771.tif 000005
【図４】
2010034771.tif 000006
【図５】
2010034771.tif 000007
【図６】
2010034771.tif 000008
【図７】
2010034771.tif 000009
【図８】
2010034771.tif 000010
【図９】
2010034771.tif 000011
【図１０】
2010034771.tif 000012
【図１１】
2010034771.tif 000013
【図１２】
2010034771.tif 000014
【図１３】
2010034771.tif 000015
【図１４】
2010034771.tif 000016
【図１５】
2010034771.tif 000017
【図１６】
2010034771.tif 000018